(57)【要約】【課題】パックシートの外形形状を単純化して、その分だけ製造コストを減らす。併せてパックシートを開放するときの開放抵抗を小さくして、折り姿を簡単にしかも確実に開放操作できるようにする。【解決手段】シート本体１が、中央の第１領域８と、第１領域８の左右に一対ずつ設けた第２領域９、第３領域１０、およびつまみ領域１１とを有する。第２領域９と第３領域１０は、第１領域８の片面側において内外逆向きに折り畳んで、つまみ領域１１が折り束の外側方にはみ出るようにする。得られた後段折畳み体１７を二つ折りにして折畳み体２０を形成する。シート本体１の周縁の両側部分を利用してつまみ領域１１とするので、展開形状を単純化できる分だけシート素材Ｗの無駄を省くことができる。折畳み体２０を開放するときの開放抵抗を小さくする。【選択図】図１
2006340847.tif 000002
【特許請求の範囲】
【請求項１】
所定形状に打ち抜き形成したシート本体（１）のシート面に、目、鼻、口に対応する切込み（２）・（３）・（４）が形成されており、
シート本体（１）が、シート面の中央部分を含む縦長の第１領域（８）と、第１領域（８）の左右両側に隣接する縦長の一対の第２領域（９）と、第２領域（９）の左右の外側方に隣接する縦長の一対の第３領域（１０）と、第３領域（１０）の外側方に隣接する左右一対のつまみ領域（１１）とを有し、
左右の第２領域（９）が、それぞれ第１縦折り線（１５）に沿って第１領域（８）の中央部分へ向かって折り曲げられており、
左右の第３領域（１０）が、それぞれ第２縦折り線（１６）に沿って第２領域（９）とは逆向きに折り曲げられて、つまみ領域（１１）が第１縦折り線（１５）より横外側方にはみ出ており、
第１・第２・第３の各領域（８）・（９）・（１０）と、つまみ領域（１１）とが、つまみ領域（１１）を左右に横断する横折り線（１８）に沿って二つ折りにした状態で包装されていることを特徴とする美容用のパックシート。
【請求項２】
第１・第２・第３の各領域（８）・（９）・（１０）と、つまみ領域（１１）とを、横折り線（１８）に沿って二つ折りにした状態において、第３領域（１０）およびつまみ領域（１１）が、横折り線（１８）の最外面に臨んでいる請求項１記載の美容用のパックシート。
【請求項３】
左右一対の第２領域（９）および第３領域（１０）が、第１領域（８）に対して左右対称形状に折り畳んである請求項１または２に記載の美容用のパックシート。
【請求項４】
所定形状に打ち抜き形成したシート本体（１）のシート面に、目、鼻、口に対応する切込み（２）・（３）・（４）が形成されており、
シート本体（１）が、複数の縦折り線（１５）・（１６）に沿って縦長に折り曲げ、さらに横折り線（１８）に沿って折り曲げて折畳み体（２０）としてある美容用のパックシートであって、
折畳み体（２０）の折り姿を開放する開放体（３０）が、シート本体（１）の片面に縦折り線（１５）・（１６）と交差する状態で配置されて、シート本体（１）に折り込まれており、
開放体（３０）の両端が折畳み体（２０）の外面に露出してあることを特徴とする美容用のパックシート。
【請求項５】
シート本体（１）が、シート面の中央部分を含む縦長の第１領域（８）と、第１領域（８）の左右両側に隣接する縦長の一対の第２領域（９）と、第２領域（９）の左右の外側方に隣接する縦長の一対の第３領域（１０）と、第３領域（１０）の外側方に隣接する左右一対のつまみ領域（１１）とを有し、
左右の第２領域（９）が、それぞれ第１縦折り線（１５）に沿って第１領域（８）の中央部分へ向かって折り曲げられており、
左右の第３領域（１０）が、それぞれ第２縦折り線（１６）に沿って第２領域（９）とは逆向きに折り曲げられて、つまみ領域（１１）が第１縦折り線（１５）より横外側方にはみ出ており、
第１・第２・第３の各領域（８）・（９）・（１０）と、つまみ領域（１１）とが、つまみ領域（１１）を左右に横断する横折り線（１８）に沿って二つ折りにして折畳み体（２０）としてあり、
開放体（３０）が、横折り線（１８）に隣接する状態で、一方のつまみ領域（１１）から、第１・第２・第３の各領域（８）・（９）・（１０）を経由して、他方のつまみ領域（１１）にわたって配置してある請求項４記載の美容用のパックシート。
【請求項６】
原反ロール（２２）から連続して供給されるシート素材（Ｗ）を、シート素材（Ｗ）の送り方向と平行な折り線に沿って折り畳む前段折畳み工程（Ａ１）と、
癖付けされたシート素材（Ｗ）を面状に展開する開放工程（Ａ２）と、
展開されたシート素材（Ｗ）からシート本体（１）を打ち抜き形成する打抜き工程（Ａ３）と、
得られたシート本体（１）を、前段折畳み工程（Ａ１）で形成した折り線に従って再び折り畳んで後段折畳み体（１７）を形成し、さらに後段折畳み体（１７）を二つ折りにして折畳み体（２０）を形成する後段折畳み工程（Ａ４）とを含む美容用パックシートの製造方法。
【請求項７】
後段折畳み工程（Ａ４）に連続して、パック液を折畳み体（２０）に含浸させる含浸工程（Ａ５）と、パック液が含浸された折畳み体（２０）を袋（１３）内に密封包装する包装工程（Ａ６）とを備えている請求項６記載の美容用パックシートの製造方法。
【発明の詳細な説明】
【技術分野】
【０００１】
本発明は、顔のほぼ全面を覆う状態で使用する美容用のパックシートとその製造方法に関する。
【背景技術】
【０００２】
この種のパックシートは、例えば特許文献１に公知であり、小さく折り畳んで包装用の袋に封入されている。詳しくは、展開状態において扁平円形のパックシートを、平行な縦線に沿って断面Ｚ字状に折り曲げ、さらに横線に沿って二つ折りした状態に折り畳んでいる。展開状態におけるパックシートの周縁の左右には耳状の摘みを突設してあり、これらの摘みが、先の折り畳み状態において側縁から突出している。同様のパックシートは、特許文献２にも開示されている。
【０００３】
【特許文献１】特開２００４−９７７８５号公報（段落番号００１２、図８）
【特許文献２】登録実用新案第３０７２０２７号公報（段落番号００２８、図２）
【発明の開示】
【発明が解決しようとする課題】
【０００４】
パックシートの周縁の左右には耳状の摘みが突設されているため、パックシートをシート素材から打ち抜くとき、摘みの分だけ打ち抜き間隔を大きくするか、打ち抜き位置をずらす必要がある。打ち抜き間隔を大きくすると、シート素材の無駄が増え、その分だけ素材コストが嵩む。また、打ち抜き位置をずらす場合には、パックシートを打ち抜くための抜き型やロールカッタを複数個用意する必要があり、同様に製造コストが高く付く。
【０００５】
上記のように小さく折り畳んだパックシートの折り畳み体は、左右の摘みを両手でつかんで左右方向へ引っ張ることにより、折り姿を開放して展開することができる。しかし、パック液が含浸されていない乾燥状態の折り畳み体ならともかく、パック液を含む折り畳み体の場合には、折り合わしたシート面どうしがパック液を介して密着しているうえ、折り姿を開放するときのシート面の接触長さ（左右長さ）が大きいため、開放抵抗が大きく、折り姿を開放するのに手間取ることが多い。
【０００６】
縦線に沿って三層に重なる状態で折られたシート面は、さらに横線に沿って二つ折りするので、最後の折り面の内側に位置するシート面が展開しにくいことも、折り姿の開放を阻害する一因になっている。左右の摘みを無理に引っ張り操作すると、シート面が破れることがある。シート面が、強く引っ張られて変形して伸びたり、摘みが千切れたりすることもある。このように、従来のパックシートは、折り畳み状態から開放することに関して折り姿に改善の余地がある。
【０００７】
本発明の目的は、シート本体の外形形状を単純化することによって、その占有面積を小さくすることにより、シート素材の無駄を省いて、その分だけ製造コストを低減化できる美容用のパックシートを提供することにある。本発明の目的は、折り畳み構造を改良することによって、小さく折り畳んだシート本体の折り姿を簡単にしかも確実に開放操作できる美容用のパックシートを提供することにある。本発明の目的は、小さく折り畳まれたパックシートを能率よく生産できるようにすることにある。
【課題を解決するための手段】
【０００８】
本発明のパックシートは、所定形状に打ち抜き形成したシート本体１のシート面に、目、鼻、口に対応する切込み２・３・４が形成されている。シート本体１は、シート面の中央部分を含む縦長の第１領域８と、第１領域８の左右両側に隣接する縦長の一対の第２領域９と、第２領域９の左右の外側方に隣接する縦長の一対の第３領域１０と、第３領域１０の横外側方に隣接する一対のつまみ領域１１とを有する。左右の第２領域９は、それぞれ第１縦折り線１５に沿って第１領域８の中央部分へ向かって折り曲げてある。左右の第３領域１０は、それぞれ第２縦折り線１６に沿って第２領域９とは逆向きに折り曲げられる。この折り曲げ状態において、つまみ領域１１が第１縦折り線１５より横外側方にはみ出るようにする。第１・第２・第３の各領域８・９・１０とつまみ領域１１とは、つまみ領域１１を左右に横断する横折り線１８に沿って二つ折りにし、得られた折畳み体２０を包装してあることを特徴とする。
【０００９】
第１・第２・第３の各領域８・９・１０と、つまみ領域１１とは、横折り線１８に沿って二つ折りにした状態において、第３領域１０およびつまみ領域１１が、横折り線１８の最外面に臨むようにする。
【００１０】
左右一対の第２領域９および第３領域１０は、第１領域８に対して左右対称形状に折り畳んで、後段折畳み体１７を形成する。
【００１１】
本発明の別のパックシートは、所定形状に打ち抜き形成したシート本体１のシート面に、目、鼻、口に対応する切込み２・３・４が形成されている。シート本体１は、複数の縦折り線１５・１６に沿って縦長に折り曲げ、さらに横折り線１８に沿って折り曲げて折畳み体２０としてある。折畳み体２０の折り姿を開放する開放体３０は、シート本体１の片面に縦折り線１５、１６と交差する状態で配置されて、シート本体１に折り込まれている。開放体３０の両端は折畳み体２０の外面に露出してある。開放体３０としては、プラスチックフィルム、プラスチックシートなどを数mm幅の帯状に切断したテープ、紐、線材等を適用できる。
【００１２】
シート本体１は、シート面の中央部分を含む縦長の第１領域８と、第１領域８の左右両側に隣接する縦長の一対の第２領域９と、第２領域９の左右の外側方に隣接する縦長の一対の第３領域１０と、第３領域１０の外側方に隣接する左右一対のつまみ領域１１とを有する。左右の第２領域９は、それぞれ第１縦折り線１５に沿って第１領域８の中央部分へ向かって折り曲げられている。左右の第３領域１０は、それぞれ第２縦折り線１６に沿って第２領域９とは逆向きに折り曲げられて、つまみ領域１１が第１縦折り線１５より横外側方にはみ出されている。第１・第２・第３の各領域８・９・１０と、つまみ領域１１とが、つまみ領域１１を左右に横断する横折り線１８に沿って二つ折りにして折畳み体２０としてある。開放体３０は、横折り線１８に隣接する状態で、一方のつまみ領域１１から、第１・第２・第３の各領域８・９・１０を経由して、他方のつまみ領域１１にわたって配置してある。
【００１３】
本発明の美容用パックシートの製造方法は、原反ロール２２から連続して供給されるシート素材Ｗをシート素材Ｗの送り方向と平行な折り線に沿って折り畳む前段折畳み工程Ａ１と、癖付けされたシート素材Ｗを面状に展開する開放工程Ａ２と、展開されたシート素材Ｗからシート本体１を打ち抜き形成する打抜き工程Ａ３と、得られたシート本体１を、前段折畳み工程Ａ１で形成した折り線に従って再び折り畳んで後段折畳み体１７を形成し、さらに後段折畳み体１７を二つ折りにして折畳み体２０を形成する後段折畳み工程Ａ４とを含む。
【００１４】
上記の製造方法において、後段折畳み工程Ａ４に連続して、パック液を折畳み体２０に含浸させる含浸工程Ａ５と、パック液が含浸された折畳み体２０を袋１３内に密封包装する包装工程Ａ６とを備えることができる。
【発明の効果】
【００１５】
本発明のパックシートでは、所定形状に打ち抜き形成したシート本体１を、シート中央の第１領域８と、第１領域８の左右に一対ずつ設けられる第２領域９、第３領域１０、およびつまみ領域１１とで構成し、第２領域９と第３領域１０とを、第１領域８の片面側において内外逆向きに折り畳むことにより、つまみ領域１１が第２領域９の第１縦折り線１５より外側方にはみ出るようにし、得られた後段折畳み体１７を二つ折りにすることにより、最終の折り姿である折畳み体２０を形成するようにした。
【００１６】
かかる本発明のパックシートでは、シート周縁の左右両側部分を利用してつまみ領域１１としているので、展開状態におけるシート本体１の周縁から摘み部分が突出することがなく、パックシート１を打ち抜き形成するときの打ち抜き間隔を小さくして、その分だけシート素材Ｗの無駄を省くことができる。これにより、本発明のパックシートは、従来のパックシートに比べて製造コストを減らすことができる。また、シート本体１の打ち抜き位置をずらす必要がないので、シート本体１を打ち抜くための抜き型やロールカッタ２５の設置個数を最小限化でき、その分だけ製造コストを低減化が図れる。
【００１７】
第２領域９と第３領域１０は、第１領域８の片面側において内外逆向きに折り畳んで後段折畳み体１７を形成するので、左右のつまみ領域１１を引っ張り操作して折畳み体２０の折り姿を開放操作するときの折り合わさったシート面の左右長さ、即ち摩擦面の左右長さを第１領域８の左右幅の半分に小さくできる。そのため、断面Ｚ字状に折り畳んでいた従来のパックシートに比べて、折畳み体２０を開放するときの開放抵抗を概ね半分程度に小さくなり、つまみ領域１１を強く引っ張る必要もなく、小さく折り畳まれたパックシートの折り姿を簡単にしかも確実に開放できる。
【００１８】
第１・第２・第３の各領域８・９・１０とつまみ領域１１とは、つまみ領域１１を左右に横断する横折り線１８に沿って二つ折りにするので、二つに折り畳まれたつまみ領域１１を摘んで折畳み体２０を開放操作でき、大きな外力がつまみ領域１１に作用したとてもシート面が破れることはなく、小さく折り畳まれたパックシートを確実に開放操作できる。
【００１９】
後段折畳み体１７を横折り線１８に沿って二つ折りにした状態において、第３領域１０およびつまみ領域１１が、横折り線１８の最外面に臨むようにした折畳み体２０によれば、つまみ領域１１を摘んで折畳み体２０を開放操作するとき、最外面に位置する第３領域１０を、第１・第２の各領域８・９のシート面に邪魔されることもなく展開させ開放できるので、折畳み体２０をさらに簡単に開放操作できる。因みに、第３領域１０およびつまみ領域１１が横折り線１８の最内面に臨む折り姿の場合には、第１・第２の各領域８・９のシート面を押しのけながら第３領域１０を展開させる必要があるので、その分だけ開放抵抗が大きくなる。
【００２０】
左右一対の第２領域９および第３領域１０が、第１領域８に対して左右対称形状に折り畳んであると、折畳み体２０を開放操作するとき、左右の第２領域９および第３領域１０の開放抵抗が同じになるので、開放操作力が右または左の領域に偏って作用するのを阻止して、折畳み体２０をさらに簡便に開放操作することができる。
【００２１】
本発明の別のパックシートでは、シート本体１の縦折り線１５・１６と交差する状態で配置した開放体３０をシート本体１と共に折り込むので、折畳み体２０の外面に露出する開放体３０の両端を、互いに逆向きに引っ張り操作することにより、折畳み体２０の折り姿を確実に、しかも簡単に開放することができる。折畳み体２０を開放するときの引っ張り力を開放体３０で受け止めて、シート本体１に過剰な外力が作用するのを阻止できるので、折畳み体２０を開放するとき、シート本体１の一部が破れたり伸び変形するのを防止できる。
【００２２】
中央の第１領域８と、第１領域８の左右に一対ずつ設けられる第２領域９、第３領域１０、つまみ領域１１とでシート本体１を形成し、これらの領域を第１縦折り線１５と第２縦折り線１６に沿って縦長に折り曲げ、得られた後段折畳み体１７を横折り線１８に沿って二つ折りにしたパックシートにおいて、開放体３０を横折り線１８に隣接する状態で配置し、一方のつまみ領域１１から、第１・第２・第３の各領域８・９・１０を経由して、他方のつまみ領域１１にわたって折り込んであると、左右のつまみ領域１１と開放体３０との両者を摘んで折畳み体２０を開放操作でき、しかも、折畳み体２０を開放するときの摩擦面の左右長さを第１領域８の左右幅の半分に小さくできる。したがって、断面Ｚ字状に折り畳んでいた従来のパックシートに比べて、折畳み体２０を開放するときの開放抵抗を小さくなり、小さく折り畳まれたパックシートの折り姿をさらに簡単に開放できる。
【００２３】
本発明の美容用パックシートの製造方法においては、前段折畳み工程Ａ１において、原反ロール２２から連続して供給されるシート素材Ｗを、シート素材Ｗの送り方向と平行な折り線に沿って折り畳んだうえで、開放工程Ａ２でシート素材Ｗを面状に展開し、打抜き工程Ａ３でシート本体１を打ち抜き形成したのち、後段折畳み工程Ａ４において、シート本体１を先に形成した折り線に従って再び折り畳むことにより後段折畳み体１７を形成し、さらに後段折畳み体１７を二つ折りにして折畳み体２０を形成するので、小さく折り畳まれたパックシートを形成するための一連の作業を連続して行って、折畳み体２０を能率よく生産することができる。さらに、シート本体１を打ち抜いた状態において、シート面に折り癖が形成されているので、シート本体１を折り畳んで後段折畳み体１７を形成するための処理が簡便に能率よく行え、折り畳み処理を行うための装置も簡素化できる利点もある。
【００２４】
上記の製造方法において、折畳み体２０を形成したのちに、パック液を含浸工程Ａ５で折畳み体２０に含浸させ、さらにパック液が含浸された折畳み体２０を、包装工程Ａ６で袋１３内に密封包装すると、前段折畳み工程Ａ１から後段折畳み工程Ａ４に到る間の処理および作業が乾燥状態で確実に行え、パック液の無駄がなく、その分だけパックシートを低コストで生産できる。
【発明を実施するための最良の形態】
【００２５】
（実施例１）  図１ないし図５は本発明に係るパックシートの実施例を示す。図１および図２において符号１は扁平円形状のシート本体であり、そのシート面には、人の目、鼻、口に対応する切込み２・３・４が形成されており、シート周縁の下半左右に、シート面を肌面に密着させるための直線状の切込み５が形成されている。
【００２６】
図２においてシート本体１は、シート面の中央部分を含む縦長の第１領域８と、第１領域８の左右両側に隣接する縦長の一対の第２領域９・９と、第２領域９・９の左右の外側方に隣接する縦長の一対の第３領域１０・１０と、第３領域１０・１０の横外側方に隣接する左右一対のつまみ領域１１・１１とを有する。
【００２７】
この実施例のパックシートにおいては、第１領域８の中央寄りに人の鼻に対応する切込み３を横臥コ字状に形成し、その下方に人の口に対応する切込み４を横長だ円状に形成し、鼻に対応する切込み３より上方の第１領域８と第２領域９・９とにわたって人の目に対応する切込み２を横長だ円状に形成した。
【００２８】
パックシートは、図１に示すようにシート本体１を小さく折り畳んで折畳み体２０とした状態で供給する。詳しくは、展開状態のシート本体１のうち、左右の第２領域９・９のそれぞれを、第１縦折り線１５に沿って第１領域８の中央部分へ向かって折り曲げて、前段折畳み体を形成する。第１縦折り線１５は第１領域８の左右側縁と一致している。
【００２９】
次に、左右の第３領域１０のそれぞれを、第２縦折り線１６に沿って第２領域とは逆向きに折り曲げて、後段折畳み体１７を形成する。この折り畳み状態におけるつまみ領域１１は、第１縦折り線１５よりも横外側方にはみ出している。第２縦折り線１６は第２領域９と第３領域１０の境界線に一致している。
【００３０】
最後に、第１・第２・第３の各領域８・９・１０と、つまみ領域１１とを、シート本体１の上下中央において横向きに走る横折り線１８に沿って二つ折りにして、折畳み体２０を形成する。このとき、第３領域１０およびつまみ領域１１が横折り線１８の最外面に臨む折り姿とする。横折り線１８は、縦長の後段折畳み体１７の上下中央近傍に位置していて、つまみ領域１１を左右に横断する。得られた折畳み体２０は、これにパック液を含浸した状態で袋１３に密封包装する。
【００３１】
実際の製造工程における折畳み体２０は、図３に示す各工程を経て形成する。前段折畳み工程Ａ１と、開放工程Ａ２と、打抜き工程Ａ３と、後段折畳み工程Ａ４と、含浸工程Ａ５と、包装工程Ａ６を経て、連続した状態で形成する。
【００３２】
前段折畳み工程Ａ１においては、原反ロール２２から繰り出された不織布製のシート素材Ｗを、数段の折畳みローラ２３で先の後段折畳み体１７と同じ断面形状に折り畳んで癖付けする（図３の符合ａ参照）。このときの第１縦折り線１５および第２縦折り線１６は、シート素材Ｗの送り方向と平行になる。
【００３３】
開放工程Ａ２では、癖付けされたシート素材Ｗを開放体２４で受け止めて面状に展開する。展開されたシート素材Ｗには、図３の符合ｂで示すように折り癖が残っている。
【００３４】
打抜き工程Ａ３では、図３の符合ｃで示すように、ロールカッタ２５で展開されたシート素材Ｗからシート本体１を打ち抜く。このとき同時に切込み２・３・４・５が形成される。得られたパックシートのみがベルトコンベア２６で次工程へ送られ、抜き跡の不織布はロール状に巻き取られる。
【００３５】
後段折畳み工程Ａ４では、シート本体１を先の前段折畳み工程Ａ１において形成された折り線に従って再び折り畳むことにより、後段折畳み体１７を形成する。さらに後段折畳み体１７を横折り線１８に沿って二つ折りにして折畳み体２０を形成する。
【００３６】
この後、含浸工程Ａ５において、ベルトコンベア２６の上方に配置したノズル２７からパック液を供給して折畳み体２０に含浸させる。得られた折畳み体２０を、包装工程Ａ６で袋１３に封入して折り畳まれたパックシートを完成する。
【００３７】
上記のように、シート素材Ｗの送り方向と、前段折畳み工程Ａ１における第１・第２の折り線１５・１６とを平行にしてあると、シート素材Ｗの折り畳み処理、その後の展開および打ち抜き処理などを連続して行えるので、折り畳まれたパックシートを能率よく連続生産できる。
【００３８】
また、パックシートを打ち抜いた状態において、シート面に折り癖が形成されているので、パックシートを折り畳んで後段折畳み体１７を形成するための処理が、より簡便に能率よく行え、折り畳み処理を行うための装置も簡素化できる。
【００３９】
従来のパックシートとは異なり、第２領域９、および第３領域１０が、第１領域８に対して左右対称に位置するようにシート本体１を折り畳むことにより、シート周縁の両側部分を利用してつまみ領域１１とするので、シート本体１の外形形状を単純化できる。したがって、従来のパックシートにおいて避けられなかった摘み部分の突出がない分だけシート素材の無駄を省いて、パックシートの製造コストを減らすことができる。
【００４０】
使用時には、図５に示すように折畳み体２０の左右にはみ出ているつまみ領域１１を、それぞれ人差し指と親指とで摘んで引っ張り操作することにより、折畳み体２０の折り姿を簡単にしかも確実に展開できる。
【００４１】
折り畳み状態における各領域８・９・１０は、図４に示す状態で重なり合っていて、左右のつまみ領域１１を引っ張り操作するときの摩擦面（接触面）の左右長さは、第１領域８の左右幅の半分にしかならない。そのため、断面Ｚ字状に折り畳まれた従来のパックシートに比べて、折畳み体２０を開放するときの開放抵抗を概ね半分程度に小さくでき、つまみ領域１１を強く引っ張る必要もなくシート面を拡げることができる。
【００４２】
また、二つに折り畳まれたつまみ領域１１を摘んで引っ張り操作するので、大きな外力がつまみ領域１１に作用してもシート面が破れることはなく、小さく折り畳まれたパックシートを確実に開放操作することができる。
【００４３】
（実施例２）  図６ないし図８は本発明に係るパックシートの実施例２を示す。そこでは、実施例１で説明したパックシートに、折畳み体２０の開放を容易化するための開放体３０を付加して、さらに簡単に折畳み体２０を開放できるようにした。開放体３０は、プラスチックフィルムやプラスチックシートなどを２〜５mm幅の帯状に切断したテープからなり、図６に示すように、シート本体１を左右に横断し、その両端がつまみ領域１１の側縁から僅かにはみ出る長さにしてある。
【００４４】
図６に示すように、開放体３０は横折り線１８の下側に隣接する状態で配置されており、図７に示すように開放体３０の大半の部分が折畳み体２０の折り畳み内面側に位置するようにシート本体１と同時に折り畳まれる。得られた折畳み体２０においては、開放体３０が第３領域１０とつまみ領域１１の外面に露出している。折畳み体２０は、実施例１と同様にパック液を含浸した状態で袋１３に密封包装する。他は、実施例１と同じであるので、同じ部材に同じ符号を付してその説明を省略する。
【００４５】
したがって、使用時には図８に示すように、折畳み体２０の左右にはみ出ているつまみ領域１１と開放体３０を、それぞれ人差し指と親指とで摘んで引っ張り操作することにより、折畳み体２０を簡単にしかも確実に展開し開放できる。このとき、引っ張り力の殆どを開放体３０で受け止めて、シート本体１に過剰な外力が作用するのを阻止できる。したがって、折畳み体２０を開放するときシート本体１の一部が破れ、あるいは伸び変形するのを確実に防止できる。また、シート本体１が薄いシート素材で形成してある場合でも、折畳み体２０を簡単にしかも確実に展開し開放できるので、素材コストを削減できる利点もある。
【００４６】
上記のように、開放体３０をシート本体１に折り込む場合には、シート本体１は実施例１，２で説明した折り構造とする必要はなく、折り構造は限定しない。例えば、断面Ｚ字状に折り畳まれた従来のパックシートに開放体３０を折り込んで、その開放操作を簡便化することができる。その場合には、鼻や目などの切込み２・３・４のひとつに開放体３０を通して、開放体３０の半分をシート本体１の表面に露出させ、残る半分をシート本体１の裏面に露出させておくと、小さく折り畳まれたパックシートを確実に開放できる。
【００４７】
上記の実施例では後段折畳み体１７を二つ折りにした状態において、第３領域１０およびつまみ領域１１が横折り線１８の最外面に露出するようにしたが、後段折畳み体１７を二つ折りにした状態において、第３領域１０およびつまみ領域１１を横折り線１８の内面に臨ませてもよい。
【００４８】
シート素材Ｗとしては、綿やレーヨンなどのセルロース系不織布、ポリエステル、ポリオレフィン、ナイロンなどの合成繊維系不織布等を適用できるが、必要に応じて織布や紙を使用してもよい。パック液に代えて、ゲル状のパック剤を折畳み体２０に含ませ、あるいは粉末状のパック剤を折畳み体２０に含ませておいて、袋１３内に蒸留水や化粧水を注ぎ入れて含浸させることができる。シート本体１は、ロールカッタ２５で打ち抜く必要はなく、上下動するプレス型で打ち抜くことができる。
【００４９】
開放体３０の形成素材としては、プラスチック紐、線材、網体、生地、不織布などを適用できる。必要があれば、複数の開放体３０をシート本体１に折り込むことができる。
【図面の簡単な説明】
【００５０】
【図１】パックシートの折り畳み手順を示す正面図である。
【図２】パックシートの正面図である。
【図３】パックシートの製造工程を示す説明図である。
【図４】パックシートの折り畳み構造を示す断面図である。
【図５】パックシートの開放要領を示す正面図である。
【図６】実施例２に係るパックシートの折り畳み手順を示す正面図である。
【図７】実施例２に係るパックシートの折り畳み構造を示す断面図である。
【図８】実施例２に係るパックシートの開放要領を示す正面図である。
【符号の説明】
【００５１】
１  シート本体
２・３・４  切込み
８  第１領域
９  第２領域
１０  第３領域
１１  つまみ領域
１３  袋
１５  第１縦折り線
１６  第２縦折り線
１７  後段折畳み体
１８  横折り線
２０  折畳み体
２２  原反ロール
３０  開放体
Ｗ  シート素材
【図１】
2006340847.tif 000003
【図２】
2006340847.tif 000004
【図３】
2006340847.tif 000005
【図４】
2006340847.tif 000006
【図５】
2006340847.tif 000007
【図６】
2006340847.tif 000008
【図７】
2006340847.tif 000009
【図８】
2006340847.tif 000010